【手続補正書】
【提出日】平成29年10月13日(2017.10.13)
【手続補正１】
【補正対象書類名】明細書
【補正対象項目名】００１５
【補正方法】変更
【補正の内容】
【００１５】
回転体は、電動機の出力軸であってもよい。その場合、磁気シール機構は、電動機の出力軸を軸受支持部との間で回転自在に支持する軸受をシールするように配設される。
【手続補正２】
【補正対象書類名】明細書
【補正対象項目名】００２０
【補正方法】変更
【補正の内容】
【００２０】
スプール２は電動機３側で、電動機３の外装３１に対して軸受２５で回転可能に支持されている。また、スプール２に固定された歯車２４が減速機６側で、リール本体１に対して軸受２６で回転可能に支持されている。したがって、スプール２は２つの軸受２５、２６で回転可能に支持されている。電動機３側の軸受２５は、内輪が電動機３の外装３１（軸受支持部）に嵌合して固定され、外輪がスプール２に嵌合してスプール２と共に回転する。減速機６側の軸受２６は、外輪がリール本体１の固定板１１（軸受支持部）に嵌合して固定され、内輪が歯車２４に嵌合してスプール２と共に回転する。
【手続補正３】
【補正対象書類名】明細書
【補正対象項目名】００２５
【補正方法】変更
【補正の内容】
【００２５】
図３は、実施の形態１に係る電動機軸受部分の断面図である。軸受３４は、モータの回転子３７と底部３１ｂの間に挟まれて保持される。軸受３４の内輪は、出力軸３２に嵌合し出力軸３２と共に回転する。軸受３４の外輪は底部３１ｂの電動機３内部側に嵌合して固定される。出力軸３２は電動機３で回転させられる回転体の１つであり、底部３１ｂは軸受支持部の１つである。底部３１ｂの中心の電動機３外部側に磁気シール機構４１が配置される。磁気シール機構４１は、磁石４１ａ、磁性部材４１ｂ、４１ｃおよび磁性流体４１ｄから構成される。磁石４１ａおよび磁性部材４１ｂ、４１ｃは出力軸３２の回転半径方向の外周を囲む円環状である。磁石４１ａは磁性部材４１ｂと４１ｃに挟まれている。磁石４１ａおよび磁性部材４１ｂ、４１ｃの内周と出力軸３２の間には隙間がある。磁気シール機構４１では、出力軸３２が磁性体から形成されていることが想定されている。
【手続補正４】
【補正対象書類名】明細書
【補正対象項目名】００３１
【補正方法】変更
【補正の内容】
【００３１】
図４は、実施の形態１に係る減速機側のスプール軸受部分の断面図である。スプール２の減速機６側の軸受２６は、スプール２に固定された歯車２４から突き出た筒状部２４ｂの外周と、リール本体１の固定板１１に形成された円筒状のボス部１１ｂの内周との間に位置する。軸受２６の外輪がリール本体１の固定板１１に嵌合して固定され、内輪が歯車２４に嵌合して歯車２４（スプール２）と共に回転する。歯車２４は、減速機６を介して電動機３で回転させられる回転体の１つであり、リール本体１の固定版１１は軸受支持部の１つである。軸受２６と歯車２４の間に、磁気シール機構４３および磁気遮蔽機構５３の磁気遮蔽部材５３ａが保持される。
【手続補正５】
【補正対象書類名】明細書
【補正対象項目名】００３６
【補正方法】変更
【補正の内容】
【００３６】
図５は、実施の形態１に係る電動機側のスプール軸受部分の断面図である。スプール２の電動機３側の軸受２５は、スプール２のモータホルダ３１ｃ側のフランジ部２２からモータホルダ３１ｃ側に突き出た筒状部２７の内周と、電動機３の筒部３１ａの外周との間に位置する。軸受２５の内輪は電動機３の筒部３１ａに嵌合して固定され、外輪はスプール２に嵌合してスプール２と共に回転する。スプール２は、減速機６を介して電動機３で回転させられる回転体の１つであり、電動機３の筒部３１ａは軸受支持部の１つである。軸受２５とモータホルダ３１ｃの間に、磁気シール機構４２および磁気遮蔽機構５２の磁気遮蔽部材５２ａが保持される。
【手続補正６】
【補正対象書類名】明細書
【補正対象項目名】００４５
【補正方法】変更
【補正の内容】
【００４５】
スプール７は円筒部７１と円筒部７１の両端のフランジ部７２、７３から構成される。スプール７は円筒部７１を貫通する回転軸７４に固定される。回転軸７４は、スプール７の両側のフランジ部７２、７３の外側で、軸受７５と７６で側板１２と１３にそれぞれ回転可能に支持されている。軸受７５と７６はそれぞれ、外輪が側板（軸受支持部）１２と１３に嵌合して固定され、内輪は回転軸７４または回転軸７４に固定された歯車７７の外周に嵌合して、スプール７と共に回転する。
【手続補正７】
【補正対象書類名】明細書
【補正対象項目名】００４７
【補正方法】変更
【補正の内容】
【００４７】
スプール７の回転軸７４および回転軸７４に固定される歯車７７は、電動機３で回転させられる回転体の１つであり、側板１２および１３は軸受支持部の１つである。スプール７は側板１２、１３に対して回転するので、スプール７と側板１２、１３の間には隙間がある。その隙間から水が浸入するので、軸受７５、７６のスプール７側を磁気シール機構４４、４５でシールする。磁気遮蔽機構５４、５５は、磁気シール機構４４、４５を電動機３の磁気から遮蔽する。
【手続補正８】
【補正対象書類名】明細書
【補正対象項目名】００５３
【補正方法】変更
【補正の内容】
【００５３】
磁気遮蔽部材５４ａ〜５４ｄは磁性体で形成された部材である。少なくとも磁気遮蔽部材５４ａおよび５４ｂで磁気遮蔽機構５４が構成される。磁気遮蔽機構５４は、磁気遮蔽部材５４ｃおよび５４ｄを含んでもよい。電動機３から漏れる磁束は、軸受７５の付近では、磁気遮蔽部材５４ａおよび５４ｂに引き寄せられてそれらの中を通り、磁気遮蔽部材５４ａおよび５４ｂから磁気シール機構４４側にはほとんど漏れない。その結果、磁気シール機構４４は電動機３の磁気から遮蔽される。磁気シール機構４４は、電動機３の磁気の影響を受けないので、磁性流体４４ｄは磁石４４ａおよび磁性部材４４ｂ、４４ｃと回転軸７４とに囲まれる領域に安定して保持され、安定した防水性能を維持できる。
【手続補正９】
【補正対象書類名】明細書
【補正対象項目名】００５７
【補正方法】変更
【補正の内容】
【００５７】
１    リール本体
２    スプール
３    電動機
７    スプール
１０    電動リール
１１    固定板（軸受支持部）
１２、１３    側板（軸受支持部）
２５、２６    軸受
３１ａ  筒部（軸受支持部）
３１ｂ  底部（軸受支持部）
３２    出力軸
３３、３４    軸受
４１、４２、４３、４４、４５    磁気シール機構
４１ａ、４２ａ、４３ａ、４４ａ  磁石
４１ｂ、４２ｂ、４３ｂ、４４ｂ  磁性部材
４１ｃ、４２ｃ、４３ｃ、４４ｃ  磁性部材
４２ｄ、４３ｄ  磁性リング
４１ｄ、４２ｅ、４３ｅ、４４ｄ  磁性流体
５１、５２、５３、５４、５５    磁気遮蔽機構
５１ａ、５２ａ、５３ａ、５４ａ  磁気遮蔽部材
５１ｂ、５２ｂ、５４ｂ  磁気遮蔽部材
５２ｃ、５４ｃ、５４ｄ  磁気遮蔽部材
７４    回転軸
７５、７６    軸受
８３    軸受
【手続補正１０】
【補正対象書類名】特許請求の範囲
【補正対象項目名】請求項８
【補正方法】変更
【補正の内容】
【請求項８】
前記回転体は、前記電動機の出力軸であって、前記磁気シール機構は、前記電動機の出力軸を前記軸受支持部との間で回転自在に支持する軸受をシールするように配設される、請求項１から７のいずれか１項に記載の電動リール。
【手続補正１１】
【補正対象書類名】図面
【補正対象項目名】図４
【補正方法】変更
【補正の内容】
【図４】
2016077244.tif 000001